(57)【要約】【課題】レーザー式無人搬送車を用いる際に、倉庫内に多数の反射板を設置する必要がないようにする。【解決手段】左右方向Ｘ及び上下方向Ｚに設けられ、荷物を保管する荷物用空間１０と、左右方向Ｘに設けられ、荷物を保管せずレーザーＬを遮らないレーザー用空間１１と、を備え、荷物用空間１０は、所定の第１空間高さＨ１を有し、レーザー用空間１１は、設定高さＨ０に配置されると共に、第１空間高さＨ１より小さい第２空間高さＨ２を有する。【選択図】図３
2020013430.tif 000002
【特許請求の範囲】
【請求項１】
レーザー式無人搬送車に対して使用されるレーザー式無人搬送車用棚であって、
前記レーザー式無人搬送車は、倉庫内に設置された反射板を認識するレーザースキャナを備え、
前記レーザースキャナは、レーザーを水平に３６０度回転しながら前記反射板に送受信し、
前記反射板及び前記レーザースキャナは、所定の設定高さに設置され、
前記レーザー式無人搬送車用棚は、
左右方向及び上下方向に設けられ、荷物を保管する複数の荷物用空間と、
前記左右方向に設けられ、前記荷物を保管せず前記レーザーを遮らない複数のレーザー用空間と、
前記荷物用空間及び前記レーザー用空間を規定するフレームと、を備え、
前記荷物用空間は、所定の第１空間高さを有し、
前記レーザー用空間は、前記設定高さに配置されると共に、前記第１空間高さより小さい第２空間高さを有する
ことを特徴とするレーザー式無人搬送車用棚。
【請求項２】
前記第２空間は、前記第１空間の２分の１以下である
ことを特徴とする請求項１に記載のレーザー式無人搬送車用棚。
【請求項３】
前記レーザー用空間は、上下方向に前記荷物用空間の間に配置されている
ことを特徴とする請求項１又は２に記載のレーザー式無人搬送車用棚。
【請求項４】
前記レーザー式無人搬送車用棚は、移動可能である
ことを特徴とする請求項１〜３のいずれかに記載のレーザー式無人搬送車用棚。
【請求項５】
請求項１〜４のいずれかに記載のレーザー式無人搬送車用棚と、レーザー式無人搬送車と、を備える
ことを特徴とする無人搬送システム。
【発明の詳細な説明】
【技術分野】
【０００１】
本発明は、反射板をレーザースキャナで認識して走行するレーザー式無人搬送車に対して使用される棚及びそれを用いた無人搬送システムに関する。
【背景技術】
【０００２】
特許文献１及び２に開示されているように、荷物を搬送するレーザー式無人搬送車がある。レーザー式無人搬送車は、レーザースキャナを備える。レーザースキャナは、レーザーを水平に３６０度回転しながら反射板に送受信する。レーザー式無人搬送車は、倉庫内の走行経路に沿って配置された複数の反射板をレーザースキャナで認識する。
【０００３】
反射板は、倉庫内に固定されており、その位置がマップ上に記憶されている。レーザー式無人搬送車は、少なくとも３つの反射板をレーザースキャナで認識し、三角測量の原理に基づいて、現在位置を算出する。レーザー式無人搬送車は、算出された現在位置に基づいて、予め設定された経路を走行する。
【０００４】
また、特許文献３に開示されているように、荷物を保管する棚がある。複数の棚が、倉庫内に設置されており、複数の荷物を保管する。倉庫内に、レーザー式無人搬送車及び複数の棚が設置されて、レーザー式無人搬送車が、棚から荷物を出し入れする。
【０００５】
ところで、棚に荷物が保管されると、レーザー式無人搬送車から送受信されるレーザーは、荷物で遮られる。そのため、レーザーが荷物で遮られる場合を補完するために、多数の反射板を倉庫内に設置して、レーザー式無人搬送車から送受信されるレーザーを反射板に到達させる必要がある。特に、棚が移動可能な移動棚の場合、移動棚は様々な位置に配置されるので、移動棚の位置を考慮して、多数の反射板を設置する必要がある。
【先行技術文献】
【特許文献】
【０００６】
【特許文献１】特開２０００−５６８２８号公報
【特許文献２】特開２０００−６５５７１号公報
【特許文献３】特開２００３−２０１０２号公報
【発明の概要】
【発明が解決しようとする課題】
【０００７】
そこで、本発明が解決しようとする課題は、レーザー式無人搬送車から送受信されるレーザーを遮らないように構成されたレーザー式無人搬送車用棚及びそれを用いた無人搬送システムを提供することにある。
【課題を解決するための手段】
【０００８】
上記の課題を解決するために、本発明に係るレーザー式無人搬送車用棚は、
レーザー式無人搬送車に対して使用されるレーザー式無人搬送車用棚であって、
レーザー式無人搬送車は、倉庫内に設置された反射板を認識するレーザースキャナを備え、
レーザースキャナは、レーザーを水平に３６０度回転しながら反射板に送受信し、
反射板及びレーザースキャナは、所定の設定高さに設置され、
レーザー式無人搬送車用棚は、
左右方向及び上下方向に設けられ、荷物を保管する複数の荷物用空間と、
左右方向に設けられ、荷物を保管せずレーザーを遮らない複数のレーザー用空間と、
荷物用空間及びレーザー用空間を規定するフレームと、を備え、
荷物用空間は、所定の第１空間高さを有し、
レーザー用空間は、設定高さに配置されると共に、第１空間高さより小さい第２空間高さを有する。
【０００９】
好ましくは、
第２空間は、第１空間の２分の１以下である。
【００１０】
好ましくは、
レーザー用空間は、上下方向に荷物用空間の間に配置されている。
【００１１】
好ましくは、
レーザー式無人搬送車用棚は、移動可能である。
【００１２】
また、本発明に係る無人搬送システムは、
上記のレーザー式無人搬送車用棚と、レーザー式無人搬送車と、を備える。
【発明の効果】
【００１３】
本発明に係るレーザー式無人搬送車用棚及びそれを用いた無人搬送システムは、レーザー式無人搬送車から送受信されるレーザーを遮らないように構成されているので、多数の反射板を設置する必要がない。
【図面の簡単な説明】
【００１４】
【図１】無人搬送システムを説明するための側面図。
【図２】無人搬送システムを説明するための平面図。
【図３】レーザー式無人搬送車用棚を用いた無人搬送システムを説明するための図であって、（Ａ）は正面図、（Ｂ）は側面図。
【図４】移動可能であるレーザー式無人搬送車用棚を用いた無人搬送システムを説明するための平面図。
【発明を実施するための形態】
【００１５】
以下、図面に基づいて、本発明に係るレーザー式無人搬送車用棚及びそれを用いた無人搬送システムの一実施形態を説明する。
【００１６】
図１の通り、レーザー式無人搬送車（以下「搬送車」という）２は、レーザースキャナ２０を備える。図２の通り、倉庫３内には、複数の反射板２１が設置される。レーザースキャナ２０は、レーザーＬを水平に３６０度回転しながら反射板２１に送受信する。そのため、レーザースキャナ２０及び反射板２１は、所定の設定高さＨ０に設置される。
【００１７】
搬送車２は、倉庫３内の走行経路に沿って配置された複数の反射板２１をレーザースキャナ２０で認識する。反射板２１は、倉庫３内の壁に固定されており、その位置情報がマップ上に記憶されている。搬送車２は、少なくとも３つの反射板２１をレーザースキャナ２０で認識し、三角測量の原理に基づいて、現在位置を算出する。搬送車２は、算出された現在位置に基づいて、予め設定された経路を走行する。
【００１８】
レーザースキャナ２０は、反射板２１から反射されたレーザーＬを検知して、レーザースキャナ２０から反射板２１までの距離と角度（方位）とを算出する。レーザースキャナ２０によって３つの反射板２１が認識されると、レーザースキャナ２０から反射板２１までの距離と角度に基づいて、３つの反射板２１によって特定される三角形（３つの反射板間の距離及び角度）を算出する。
【００１９】
搬送車２が認識した３つの反射板２１の位置関係と、予め記憶された反射板２１の位置情報とを照合して、搬送車２が認識した反射板２１の位置が特定される。特定された反射板２１の位置に基づいて、搬送車２から反射板２１までの距離と角度とが検出されて、搬送車２の現在位置が算出される。
【００２０】
図３の通り、レーザー式無人搬送車用棚（以下「棚」という）１は、荷物Ｍを保管する荷物用空間１０と、荷物Ｍを保管せずレーザーＬを遮らないレーザー用空間１１と、を備える。棚１は、さらに、荷物用空間１０及びレーザー用空間１１を規定するフレーム１２を備える。
【００２１】
フレーム１２は、左右方向Ｘ、前後方向Ｙ及び上下方向Ｚに延設されており、互いに直交する。フレーム１２は、左右方向Ｘ及び上下方向Ｚに複数の同一形状の荷物用空間１０を規定する。また、フレーム１２は、左右方向Ｘに複数の同一形状のレーザー用空間１１を規定する。
【００２２】
荷物用空間１０は、少なくとも、底面側に底板１０ａが設けられており、底板１０ａに荷物Ｍが載置される。荷物用空間１０は、正面側（図３Ａの手前側）が開口しており、荷物Ｍが出し入れされる。また、本実施形態では、荷物用空間１０は、側面側及び背面側（図３Ａの奥側）に板は設けられていないが、他の実施形態で、設けられてもよい。
【００２３】
荷物用空間１０は、所定の第１空間高さＨ１を有する。第１空間高さＨ１は、大きな荷物Ｍを収容できるよう、比較的大きい。
【００２４】
レーザー用空間１１は、設定高さＨ０に配置される。レーザー用空間１１は、さらに、レーザーＬが遮られずに貫通できるように、正面側、側面側及び背面側（水平方向）には板が設けられない。また、レーザー用空間１１は、第１空間高さＨ１より小さい第２空間高さＨ２を有する。
【００２５】
レーザー用空間１１は、荷物Ｍを保管せずにレーザーＬを貫通するために設けられるので、多くの荷物Ｍを保管するために多くの荷物用空間１０を確保できるように、第２空間高さＨ２は、できるだけ小さいことが好ましい。好ましくは、第２空間は、第１空間の２分の１以下である。
【００２６】
図４の通り、棚１は、移動可能な移動棚であってもよい。倉庫３内には、複数の移動棚１が、搬送車２が走行する通路１００の両側に互いに近接して並列されている。そのため、複数の通路１００を設ける必要がないため、多くの荷物Ｍを保管するために多くの移動棚１を設置できる。
【００２７】
移動棚１は、様々な位置に配置されるので、従来は、移動棚１の位置を考慮して、多数の反射板２１を設置する必要がある。しかし、本発明の移動棚１は、レーザー用空間１１を備えているので、移動棚１の位置を考慮する必要がなく、最小限の反射板２１を設置すれば足りる。
【００２８】
以上、本発明の好ましい実施形態を説明したが、本発明の構成はこれらの実施形態に限定されない。
【００２９】
本発明の効果について説明する。
本発明に係る棚１は、レーザー用空間１１を備えている。その結果、棚１は、搬送車２から送受信されるレーザーＬを遮らないように構成されているので、倉庫３内に多数の反射板２１を設置する必要がない。
【００３０】
また、レーザー用空間１１は、荷物用空間１０の第１空間高さＨ１より小さい第２空間高さ１１を有する。好ましくは、第２空間Ｈ２は、第１空間Ｈ１の２分の１以下である。その結果、棚１は、多くの荷物Ｍを保管するために多くの荷物用空間１０を確保できる。
【００３１】
棚１は、移動可能な移動棚であってもよい。移動棚１の場合、複数の通路１００を設ける必要がないため、多くの荷物Ｍを保管するために多くの移動棚１を設置できる。移動棚１の場合であっても、レーザー用空間１１を備えているので、移動棚１の位置を考慮する必要がなく、最小限の反射板２１を設置すれば足りる。
【符号の説明】
【００３２】
１  レーザー式無人搬送車用棚
１０  荷物用空間
１１  レーザー用空間
１２  フレーム
２  レーザー式無人搬送車
２０  レーザースキャナ
２１  反射板
３  倉庫
Ｌ  レーザー
Ｈ０  設定高さ
Ｈ１  第１空間
Ｈ２  第２空間
Ｘ  左右方向
Ｙ  前後方向
Ｚ  上下方向
【図１】
2020013430.tif 000003
【図２】
2020013430.tif 000004
【図３】
2020013430.tif 000005
【図４】
2020013430.tif 000006
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
レーザー式無人搬送車に対して使用されるレーザー式無人搬送車用棚であって、
前記レーザー式無人搬送車は、倉庫内に設置された反射板を認識するレーザースキャナを備え、
前記レーザースキャナは、レーザーを水平に３６０度回転しながら前記反射板に送受信し、
前記反射板及び前記レーザースキャナは、所定の設定高さに設置され、
前記レーザー式無人搬送車用棚は、
左右方向及び上下方向に設けられ、荷物を保管する複数の荷物用空間と、
前記左右方向に設けられ、前記荷物を保管せず前記レーザーを遮らない複数のレーザー用空間と、
前記荷物用空間及び前記レーザー用空間を規定するフレームと、を備え、
前記荷物用空間は、所定の第１空間高さを有し、
前記レーザー用空間は、前記設定高さに配置されると共に、前記第１空間高さより小さい第２空間高さを有し、
前記レーザー用空間は、上下方向に前記荷物用空間の間に配置されている
ことを特徴とするレーザー式無人搬送車用棚。
【請求項２】
前記第２空間高さは、前記第１空間高さの２分の１以下である
ことを特徴とする請求項１に記載のレーザー式無人搬送車用棚。
【請求項３】
前記レーザー式無人搬送車用棚は、移動可能である
ことを特徴とする請求項１又は２に記載のレーザー式無人搬送車用棚。
【請求項４】
請求項１〜３のいずれかに記載のレーザー式無人搬送車用棚と、レーザー式無人搬送車と、を備える
ことを特徴とする無人搬送システム。
【手続補正２】
【補正対象書類名】明細書
【補正対象項目名】０００８
【補正方法】変更
【補正の内容】
【０００８】
上記の課題を解決するために、本発明に係るレーザー式無人搬送車用棚は、
レーザー式無人搬送車に対して使用されるレーザー式無人搬送車用棚であって、
レーザー式無人搬送車は、倉庫内に設置された反射板を認識するレーザースキャナを備え、
レーザースキャナは、レーザーを水平に３６０度回転しながら反射板に送受信し、
反射板及びレーザースキャナは、所定の設定高さに設置され、
レーザー式無人搬送車用棚は、
左右方向及び上下方向に設けられ、荷物を保管する複数の荷物用空間と、
左右方向に設けられ、荷物を保管せずレーザーを遮らない複数のレーザー用空間と、
荷物用空間及びレーザー用空間を規定するフレームと、を備え、
荷物用空間は、所定の第１空間高さを有し、
レーザー用空間は、設定高さに配置されると共に、第１空間高さより小さい第２空間高さを有し、
レーザー用空間は、上下方向に荷物用空間の間に配置されている。
【手続補正３】
【補正対象書類名】明細書
【補正対象項目名】０００９
【補正方法】変更
【補正の内容】
【０００９】
好ましくは、
第２空間高さは、第１空間高さの２分の１以下である。
【手続補正４】
【補正対象書類名】明細書
【補正対象項目名】００１０
【補正方法】削除
【補正の内容】
【手続補正５】
【補正対象書類名】明細書
【補正対象項目名】００３０
【補正方法】変更
【補正の内容】
【００３０】
また、レーザー用空間１１は、荷物用空間１０の第１空間高さＨ１より小さい第２空間高さ１１を有する。好ましくは、第２空間高さＨ２は、第１空間高さＨ１の２分の１以下である。その結果、棚１は、多くの荷物Ｍを保管するために多くの荷物用空間１０を確保できる。